(57)【要約】      （修正有）【課題】ビクトリックジョイントを用いて弁装置等からなる連結送水管を介設した消火用水供給設備内の水圧上昇に基づく伸長を抑え、開口位置を安定させる消火用水供給設備を提供する。【解決手段】３つのビクトリックジョイント９ａ〜９ｃを用いて逆止弁装置６及び止水弁装置７を連結した連結送水管３と、消防用水の供給を受ける開口５を有するスタンド型送水口２とからなる消火用水供給設備１において、最上流側のビクトリックジョイント９ａの上流端と、最下流側のビクトリックジョイント９ｃの下流端とにそれぞれ当接して拘束具１５ａ、１５ｂが固定される。そして、これら拘束具１５ａ、１５ｂは、ボルト１６ａを用いて一体に固定される。これにより、使用時に、内部の水圧が上昇しても、消火用水供給設備１ａが伸長することなく、開口５の位置が安定保持される。【選択図】図１
0003130664.tif 000002
【実用新案登録請求の範囲】
【請求項１】
複数の短管をビクトリックジョイントで一直線状に連結し、逆止弁機能、止水弁機能が付与された連結送水管と、消防ポンプから消火用水の供給を受ける開口を有する管状体から構成されるスタンド型送水口とを備えると共に、前記連結送水管の上流部と前記スタンド型送水口の下流部とをビクトリックジョイントで一直線状に連結してなる消火用水供給設備であって、連結送水管の最下流側に位置するビクトリックジョイントの下流側に、これに当接するように拘束具を配すると共に、連結送水管とスタンド型送水口とを連結するビクトリックジョイントの上流側に、これに当接するように拘束具を配し、両拘束具をロッド状緊締具により連結し、このロッド状緊締具を緊締することによって両拘束具間の軸方向移動を拘束したことを特徴とする消火用水供給設備。
【考案の詳細な説明】
【技術分野】
【０００１】
本考案は、主として、ビルディング等の建物の消火設備に消火用水を送給するための送水配管系における所要箇所に介設されて、送水配管系中の用水の逆流防止、空気抜き又は一時排水などの機能を有する連結送水管機構を有する消火用水供給設備に関する。
【背景技術】
【０００２】
高層ビルなどの建物は、消火用の連結送水管を備えている。この連結送水管は、建物の上下方向に延びる立管と、この立管から各階へ分岐する分岐路と、立管に消火用水を導入するための送水口とを有している。そして、この送水口は、建物の一階部分の外壁面に、消防ポンプから伸びる給水管が接続可能な状態で設置されている。
【０００３】
ところで、連結送水管は、導入された消火用水が送水口方向に逆流するのを防止するために、逆止弁装置を設置することが法律で義務付けられている。しかし、逆止弁装置は、通常、建物近傍の地下や建物内の立管部分に設置されるものであるため、設置のための施工作業や、修理、交換等の保守作業も複雑であり、また、煩雑でもある。
【０００４】
そこで、この連結送水管を送水口と共に建物外部の近傍に取り出して立設し、設置及び保守作業を容易にする構成が考えられている。このような構成として、例えば、特許文献１に記載がある。この特許文献１に記載の構成においては、ここでは図示しないが、連結送水管を設置する際に、設置スペースに合わせてパイプの切断、フランジの溶接といった、施工現場における煩雑な組み立て作業が必要となる上に、作業工数の増加に伴って設置費用も高くなる。また、配管系の長さが大となるためコンパクト化を図るのが困難であると共に、連結される弁装置等の方向合わせも難しい。
【０００５】
これについて、本考案者は、これら逆止弁等の弁装置からなる連結送水管の設置及び交換を更に容易に行うために、予め逆止弁装置等を内設した短管同士を、リング状の継手であるビクトリックジョイントを用いて連結し、設置する構成を開発した。
【０００６】
図６はビクトリックジョイントを用いて弁装置を連結介装した消火用水供給設備の側面図であり、図７は図６の部分Ｘの側方拡大断面図であり、図８は図７の部分Ｙの拡大断面図であり、また、図９は図８のビクトリックジョイントの一部を破断した平面図である。
【０００７】
図６に示すように、地面１１に立設した消火用水供給設備１ｂは、地面１１から鉛直上方へ伸び、逆止弁装置６および止水弁装置７が連結された連結送水管３と、この上方に連結される管状体４を有するスタンド型送水口２からなる。このスタンド型送水口２は、消防用ポンプからの給水を受けるための開口５が上下に２つ並設されている。そして、この消火用水供給設備１ｂは、開口５のみを外部に露出するようにして、保護ボックス４０により覆われている。尚、消火用水供給設備１ｂは、この保護ボックス４０を用いずに設置される場合もある。
【０００８】
また、図７に示すように、連結送水管３の止水弁装置７は、地面から伸びる送水管８とほぼ同じ径を有する短管２８ｂの内部に、円板状の回転弁２１を備えており、この回転弁２１が、外設されたハンドル２０により回転操作される構成となっている。これにより、短管２８ｂ内の流路の開閉が行われ、流水に対する止水および開放の状態が制御される。尚、この実施の形態では、ハンドル２０は着脱可能となっており、先の図６では離脱された状態が示されている。
【０００９】
そして、連結送水管３の逆止弁装置６は、止水弁装置７とほぼ同じ径を有する短管２８ａの内部に形成された弁口２３に対して、消火時の水流でいうところの下流側に弁体２４を備えている。そして、この弁体２４は、スプリング２５により上流方向へ付勢されており、逆流を防止する構成となっている。
【００１０】
ここで、これら逆止弁装置６および止水弁装置７は、上方のスタンド型送水口２と、地面から伸びる送水管８との間に、３つのビクトリックジョイント９ａ〜９ｃを用いて連結されている。これらビクトリックジョイント９ａ〜９ｃの詳細は、特に、図８及び図９に示されている。
【００１１】
図８に示すように、スタンド型送水口２及び逆止弁装置６のそれぞれの管の端部には、ビクトリックジョイント９ａと係合できるように、外周側に係止溝３１ａ、３１ｂが形成されている。一方、ビクトリックジョイント９ａは、ゴム製の環状パッキン３３を内包するようにして短管２８ａ及び管状体４の外側面へ向かって伸びている。そして、この外側面へ伸びる端縁が係止部３２ａ、３２ｂとなって、短管２８ａおよび管状体４のそれぞれの係止溝３１ａ、３１ｂと係合する。このビクトリックジョイント９ａは、図９の平面図に示されるように、半円形状の部材同士が対向して接合されるリング形状を有している。そして、上記係止部３２ａ、３２ｂは、このリング形状のうちの内周端縁の部分である（図９では上方の係止部３２ａが示されている。）。このように短管２８ａおよび管状体４は、ビクトリックジョイント９ａでそれらの端部を引っ掛けるようにして連結することができるので、連結される弁装置等の方向合わせも容易であり、簡易な作業にて連結設置することが可能である。
【００１２】
また、図示していないが、止水弁装置７を逆止弁装置６及び地面からの送水管８とそれぞれ接続する部分に用いるビクトリックジョイント９ｂ、９ｃの場合も同様である。尚、この実施の形態に示したビクトリックジョイント９ｃは、図７に示すように排水管１０ａが接続できるように、排水口１０ｂが形成された構成例が示されている。
【００１３】
このようなビクトリックジョイントを用いた連結送水管の構成については、例えば、特許文献２に記載がある。
【特許文献１】実開平０７−０２１０６５号公報
【特許文献２】特開平１１−２２６１４６号公報
【考案の開示】
【考案が解決しようとする課題】
【００１４】
しかしながら、本考案者の開発した先行例として示した、上記立設された消火用水供給設備１ｂは、一方側のみが地面１１に固定された配管であり、消火用水を導入する開口５が設けられた側は支持されない。したがって、このような立設型の消火用水供給設備に対して、ビクトリックジョイント９を用いて上記弁装置を介装する場合には次のような問題がある。
【００１５】
上述のように、連結状態において、接続される側の逆止弁装置６等の短管２８の端部側に形成された係止溝３１と、ビクトリックジョイントの係止部３２との間には、互いの汎用性を考慮して若干の遊び２６が設けられている。したがって、内部の水圧の変化により、この遊び２６の分だけ伸縮を許容する構成となっている。これにより、スタンド型送水口２の開口５から消火用水が供給され、水圧が高まった場合、消火用水供給設備１ｂは、連結送水管３の連結部分が軸方向に伸長してしまう。よって、伸長したときの衝撃がビクトリックジョイント９ａ〜９ｃの係止部３２と短管２８、管状体４及び送水管８の係止溝３１とが係合される係合部３０に集中してしまい、装置の耐久性が低下する。また、消火用水供給設備１ｂを保護ボックス４０により保護して設置する場合があるが、この場合は、消火用水供給設備１ｂが軸方向に伸長すると、開口５を露出させている保護ボックス４０に負荷がかかり、最悪の場合には両者間にずれを生じてしまうので、消火用水の供給に支障が生じてしまう。
【００１６】
本考案は、上記課題を解決するものであり、ビクトリックジョイントを用いて弁装置等からなる連結送水管を介設した消火用水供給設備内の水圧上昇に基づく伸長を抑え、開口位置を安定させる消火用水供給設備を提供することを目的とする。
【課題を解決するための手段】
【００１７】
上記課題を解決するために、本考案の消火用水供給設備は、複数の短管をビクトリックジョイントで一直線状に連結し、逆止弁機能、止水弁機能が付与された連結送水管と、消防ポンプから消火用水の供給を受ける開口を有する管状体から構成されるスタンド型送水口とを備えると共に、前記連結送水管の上流部と前記スタンド型送水口の下流部とをビクトリックジョイントで一直線状に連結してなる消火用水供給設備であって、連結送水管の最下流側に位置するビクトリックジョイントの下流側に、これに当接するように拘束具を配すると共に、連結送水管とスタンド型送水口とを連結するビクトリックジョイントの上流側に、これに当接するように拘束具を配し、両拘束具をロッド状緊締具により連結し、このロッド状緊締具を緊締することによって両拘束具間の軸方向移動を拘束したことを特徴とするものである。
【００１８】
このような構成により、連結送水管の連結に用いられるリング状の継手であって、環状のパッキンを外方から包み込むようなハウジング構造を有すると共に、内方側の端縁が係止部を形成してなるビクトリックジョイントのうち、連結送水管とスタンド型送水口とを連結するビクトリックジョイントの上流側と、連結送水管の最下流側のビクトリックジョイントの下流側とに当接するように拘束具を配し、これら拘束具同士の間隔がロッド状緊締具により拘束されるので、ビクトリックジョイントと連結送水管等との係合に遊びがある場合であっても、管内の水圧の上昇による消火用水供給設備の伸長が抑えられ、開口の位置が所定の位置に保持される。
【考案の効果】
【００１９】
本考案によれば、最上流側のビクトリックジョイントの上流側と、最下流側のビクトリックジョイントの下流側との間隔が、２つの拘束具とロッド状緊締具とにより一定間隔となるように保持されるので、外部から消火用水の供給を受ける開口の位置が所定の位置に保持される。これにより、消防ポンプから消火用水の供給を受けたときに、スタンド型送水口内部の水圧が上昇した場合であっても、軸方向への伸長が抑えられ、また、傾き等も防止できるので、消火活動が安全且つ安定して行われると共に、ビクトリックジョイントに対する負荷が軽減され、装置全体の耐久性が向上する。
【考案を実施するための最良の形態】
【００２０】
以下、本考案に係る消火用水供給設備の実施の形態につき、図を参照しながら説明する。尚、以下の説明は本考案の具体例であって、実用新案登録請求の範囲を限定するものではない。また、各図面中同一部分については同一符号を用いるものとする。
【００２１】
図１は、本考案の実施の形態に係る消火用水供給設備の側面図であり、図２は図１の部分Ａの拡大斜視図であり、図３は図１の部分Ａの一部を破断した拡大側面図である。
【００２２】
これらの図に示されるように、本考案の実施の形態に係るスタンド型送水口２と連結送水管３からなる消火用水供給設備１ａには、消防ホースが供給を行う消火用水が開口５から送水管８へと流れる場合における上流側のビクトリックジョイント９ａの上流端と、下流側のビクトリックジョイント９ｃの下流端とに当接するように拘束具１５ａ、１５ｂがそれぞれ固定されている。そして、これら上流側および下流側の拘束具１５ａ、１５ｂは、ロッド状緊締具としてのボルト１６ａ及びナット（以下に説明する）により一体的に固定されている。
【００２３】
この詳細を、特に、図２及び図３を用いて説明する。
【００２４】
上記の上流側および下流側の拘束具１５ａ、１５ｂは、ともに、平面視でほぼリング状に形成されている。そして、ビクトリックジョイント９ａ〜９ｃと同様にほぼ半円形の部材に２分割され、それぞれがリングを形成するように対向して、両端を接合ボルト１８ａ〜１８ｄ及びナット接合ナット１９ａ〜１９ｄにて固定される。そして、上流側及び下流側の拘束具１５ａ、１５ｂを一体に固定するボルト１６ａ、１６ｂは、拘束具１５ａ、１５ｂのそれぞれを下方又は上下方向からナット１７ａ〜１７ｆを用いて固定されている。したがって、拘束具１５ａ、１５ｂは上下方向に動かないように強固に一体形状を保持することが可能となる。これにより、連結送水管３の連結部分において流水による内圧の変化が生じ、軸方向に伸縮しようとしても、少なくとも、伸長する方向に対しては拘束されており、安定する。これにより、スタンド型送水口２の開口５の位置が一定の状態に保持される。すなわち、消火用水の供給を受けて水圧が上昇したり、また、連結送水管３の弁装置が動作することにより、内部の圧力が変化した場合であっても、これらの影響を受けることなく、軸方向へ伸長する動作を制限することができる。したがって、拘束しない場合に伸縮により連結部分に加わるような負荷を低減することができるので、連結送水管３の周辺の耐久性、延いては消火用水供給設備１ａ全体の耐久性を向上させることが可能となる。
【００２５】
ここで、拘束具とビクトリックジョイントとの当接部分の詳細について、図４及び図５を用いて説明する。
【００２６】
図４は、図３の部分Ｂの側方拡大断面図であり、図５は、図３の部分Ｂの平面図である。
【００２７】
図４に示すように、スタンド型送水口２の管状体４と逆止弁装置６の短管２８ａとは、それぞれ、端縁の外周に、係止溝３１ａ、３１ｂが形成されている。そして、これら係止溝３１ａ、３１ｂとビクトリックジョイント９ａの係止部３２ａ、３２ｂとが係合している。ここで、係合部３０ａには、図８を用いた従来技術の説明でも述べたように、若干の遊び２６ａ、２６ｂが設けられている（係合部３０ｂについては図示していないが、同様に遊びが設けられている。）。これらは、係合の容易化と汎用性の向上のために必要となるものであるが、ビクトリックジョイント９ａを用いた場合、この遊び２６ａ、２６ｂの分だけ、連結される部材同士が軸方向に相対的に位置を変えることができるため、内部の水圧の変化により、僅かに伸縮する。すなわち、本考案の実施の形態における拘束具１５ａ、１５ｂおよびボルト１６ａ、１６ｂは、この遊び２６ａ、２６ｂに基づく各部材の相対移動を抑止するために用いられている。そして、図４には示されていないが、最下流側のビクトリックジョイント９ｃの下流端に当接される拘束具１５ｂは、両面からナット１７ｂ、１７ｃおよび１７ｅ、１７ｆにより上下方向に固定されている。これにより、たとえ、内圧が上昇して下流側の遊び２６ｂの間隔が詰まり、上流側の遊び２６ａの間隔が開かせるような力が働いても、ビクトリックジョイント９ａが伸長方向へ動くことは許容されない。よって、上方のスタンド型送水口２は安定し、開口５の位置も一定に保持される。尚、説明していないが、ビクトリックジョイント９ａのもう一方の下流側係合部３０ｂや、他のビクトリックジョイント９ｂ、９ｃの係合部に設けられた遊びについても同様である。
【００２８】
ここで、これら拘束具１５ａ、１５ｂの内径は、図５の平面図に示すように、拘束される側の管状体４及び送水管８の外径よりも僅かに大きい径となるように形成されている。そして、その外径は、固定状態において、ビクトリックジョイント９ａ、９ｃの上流端２７または下流端（図示せず）と当接配置するのに十分な面積となるように設定されている。
【００２９】
尚、ここでは、両拘束具１５ａ、１５ｂを対向させて固定するためにボルト１６ａ、１６ｂ及びナット１７ａ〜１７ｆを用いる構成を例として示したが、これに限らず、一体に固定できるものであれば、他の構成であっても構わない。また、それぞれの拘束具１５ａ、１５ｂは、共に２分割で構成されている例を示したが、分割数及び形状はこれに限らない。
【００３０】
以上のような構成により、内部の水圧が変化した場合であっても、軸方向への伸長が抑制され、スタンド型送水口の開口位置が一定の位置を保持することができるので、消火用水の供給を受けたときの急激な水圧上昇に対しても安定し、また、連結送水管の弁装置が動作する場合の圧力変化に対しても安定する。これにより、不要な伸縮動作が抑えられるので、連結される部分に加わる負荷が低減され、設備の耐久性が向上する。また、保護ボックス等により、消火用水供給設備を覆って設置する場合には、保護ボックス側の開口露出部分と、内側のスタンド型送水口の開口との位置ずれが防止され、消火作業に支障を及ぼすことがなくなる。
【００３１】
尚、上記の実施の形態では、スタンド型送水口２、連結送水管３の弁装置を内設する短管２８、および、地面１１から伸びる送水管８の端部側の外周に、係止溝３１が形成される構成を例として示した。しかし、これに限らず、それぞれの端部側の外周が他の部分の径よりも大きくなるように形成し、ビクトリックジョイント９の係止部３２と係合できるように係止突縁を設けた構成であっても、同様の効果を奏することができる。
【産業上の利用可能性】
【００３２】
本考案は、スタンド型送水口内部の水圧が上昇した場合であっても、軸方向への伸長が抑えられ、また、傾き等も防止できるので、ビルディング等の建物の消火設備に消火用水を送給するための消火用水供給設備として有用である。
【図面の簡単な説明】
【００３３】
【図１】本考案の実施の形態に係る消火用水供給設備の側面図である。
【図２】図１の部分Ａの拡大斜視図である。
【図３】図１の部分Ａの一部を破断した拡大側面図である。
【図４】図３の部分Ｂの側方拡大断面図である。
【図５】図３の部分Ｂの平面図である。
【図６】ビクトリックジョイントを用いて弁装置を連結介装した、従来の、消火用水供給設備の側面図である。
【図７】図６の部分Ｘの側方拡大断面図である。
【図８】図７の部分Ｙの拡大断面図である。
【図９】図８のビクトリックジョイントの一部を破断した平面図である。
【符号の説明】
【００３４】
１  消火用水供給設備
２  スタンド型送水口
３  連結送水管
４  管状体
５  開口
６  逆止弁装置
７  止水弁装置
９ａ、９ｂ、９ｃ  ビクトリックジョイント
１５ａ、１５ｂ  拘束具
１６ａ、１６ｂ  ボルト（ロッド状緊締具）
１７ａ、１７ｂ、１７ｃ、１７ｄ、１７ｅ、１７ｆ  ナット（ロッド状緊締具）
２８ａ、２８ｂ  短管
【図１】
0003130664.tif 000003
【図２】
0003130664.tif 000004
【図３】
0003130664.tif 000005
【図４】
0003130664.tif 000006
【図５】
0003130664.tif 000007
【図６】
0003130664.tif 000008
【図７】
0003130664.tif 000009
【図８】
0003130664.tif 000010
【図９】
0003130664.tif 000011